(57)【特許請求の範囲】
【請求項１】
それぞれ治療用の低周波信号を出力する複数の出力部を有する多チャンネル式低周波治療器において、
前記複数の出力部からの出力を互いに時間をずらして順次行わせる特定モードを有しており、
前記複数の出力部からの出力のうち、今回出力されている今回出力部からの出力が終了する出力零となる前に、次に出力される次回出力部からの出力が開始されるように設定され、
前記各出力部からの出力が、当初は所定値に向けて徐々に大きくなる漸増出力状態とされ、その後該所定値での出力が所定時間持続される持続出力状態とされ、その後該所定値から徐々に出力が小さくされる漸減出力状態とされており、
前記複数の出力部のうち今回出力が行われている今回出力部での出力状態が前記持続出力状態の間に、次に出力される次回出力部からの出力が開始され、
前記複数の出力部のうち今回出力が行われている今回出力部での出力状態が前記漸減出力状態の出力が終了する出力零となる時点において、次に出力が行われる次回出力部からの出力状態が前記持続出力状態とされ、
前記漸増出力状態における出力増加割合が、前記漸減出力状態における出力低下割合よりも小さくされている、
ことを特徴とする多チャンネル式低周波治療器。
【請求項２】
請求項１において、
マニュアル操作され、前記複数の出力部からの出力の大きさを個々独立して調整するための独立調整手段と、
マニュアル操作され、前記独立調整手段によって調整された後の前記複数の出力部からの各出力の大きさの割合を維持しつつ、該複数の出力部からの出力の大きさを同時に調整するための共通調整手段と、
を有していることを特徴とする多チャンネル式低周波治療器。
【請求項３】
請求項２において、
前記独立調整手段で調整された前記複数の出力部からの各出力の大きさの割合を記憶する記憶手段をさらに備え、
前記共通調整手段は、前記記憶手段に記憶されている出力の大きさの割合に基づいて、各出力部からの出力の大きさを調整する、
ことを特徴とする多チャンネル式低周波治療器。
【請求項４】
請求項１ないし請求項３のいずれか１項において、
前記複数の出力部から出力される低周波信号に対して、中周波の搬送波が重合されて出力される、ことを特徴とする多チャンネル式低周波治療器。
【請求項５】
請求項１ないし請求項４いずれか１項において、
前記複数の出力部の数が、４個以上とされている、ことを特徴とする多チャンネル式低周波治療器。
【請求項６】
請求項１ないし請求項５のいずれか１項において、
設定された治療時間内において、前記特定モードでの出力状態が繰り返し行われる、ことを特徴とする多チャンネル式低周波治療器。
【発明の詳細な説明】
【０００１】
【発明の属する技術分野】
本発明は多チャンネル式低周波治療器に関するものである。
【０００２】
【従来の技術】
電気信号を利用した治療装置として、従来から低周波治療器が知られている。この低周波治療器では、患者の体表面に装着された一対の導子間に低周波電気信号（低周波治療用信号）を付与することにより行われる。そして、一対の導子を複数組設けた多チャンネル式の低周波治療器も実用化されている。ただし、この多チャンネル式の低周波治療器にあっては、患者の体表面の複数箇所に対して同時に低周波電気信号を付与するものであって、一度に多くの箇所に低周波電気信号を付与するためのものとなっている。
【０００３】
【発明が解決しようとする課題】
ところで、マッサージの種類として、患者の体表面を適度な力でもって手でなぞっていく「さすり」がある。この「さすり」は、患者に刺激を与える部分が順次移動する必要があるため、導子が患者の体表面に固定したまま使用される低周波治療器にあっては実現不可能なものと考えられていた。
【０００４】
本発明は以上のような事情を勘案してなされたもので、その目的は、さすりのマッサージ感覚を得られるようにした多チャンネル式低周波治療器を提供することにある。
【０００５】
【課題を解決するための手段】
前記目的を達成するため、本発明はその解決手法として次のようにしてある。すなわち、特許請求の範囲における請求項１に記載のように、
【０００６】
それぞれ治療用の低周波信号を出力する複数の出力部を有する多チャンネル式低周波治療器において、
前記複数の出力部からの出力を互いに時間をずらして順次行わせる特定モードを有しており、
前記複数の出力部からの出力のうち、今回出力されている今回出力部からの出力が終了する出力零となる前に、次に出力される次回出力部からの出力が開始されるように設定され、
前記各出力部からの出力が、当初は所定値に向けて徐々に大きくなる漸増出力状態とされ、その後該所定値での出力が所定時間持続される持続出力状態とされ、その後該所定値から徐々に出力が小さくされる漸減出力状態とされており、
前記複数の出力部のうち今回出力が行われている今回出力部での出力状態が前記持続出力状態の間に、次に出力される次回出力部からの出力が開始され、
前記複数の出力部のうち今回出力が行われている今回出力部での出力状態が前記漸減出力状態の出力が終了する出力零となる時点において、次に出力が行われる次回出力部からの出力状態が前記持続出力状態とされ、
前記漸増出力状態における出力増加割合が、前記漸減出力状態における出力低下割合よりも小さくされている、
ようにしてある。
【０００７】
上記解決手法によれば、各出力部毎に設けられる一対の導子が複数組存在することになるが、この複数組の一対の導子間においては、与えられる低周波電気信号が互いに時間的なずれを有することになる。このため、複数組の一対の導子を患者の体表面に分散して装着することによって、患者に与えられる刺激はある一対の導子間から次の一対の導子間へと順次移動していくことになり、さすりの感覚を受けることになる。
【０００８】
また、前記各出力部からの出力が、当初は所定値に向けて徐々に大きくなる漸増出力状態とされ、その後該所定値での出力が所定時間持続される持続出力状態とされ、その後該所定値から徐々に出力が小さくされる漸減出力状態とされるので、出力を一挙に所定値にまで大きくし、かつ該所定値から一挙に出力を零とする場合に比して、刺激が順次移動していく感覚が強くなって、より十分にさすりの感覚を得ることができる。
【０００９】
さらに、前記複数の出力部のうち今回出力が行われている今回出力部での出力状態が前記持続出力状態の間に、次に出力される次回出力部からの出力が開始されるので、刺激される感覚の移動をより十分にさすりの感覚に近いものとすることができる。
【００１０】
さらに又、前記複数の出力部のうち今回出力が行われている今回出力部での出力状態が前記漸減出力状態の終期のときに、次に出力が行われる次回出力部からの出力状態が前記持続出力状態とされるので、刺激される感覚の移動をより十分にさすりの感覚に近いものとする上で好ましいものとなる。
【００１１】
以上に加えて、前記漸増出力状態における出力増加割合が、前記漸減出力状態における出力低下割合よりも小さくされているので、新たに刺激を受ける部分への移行感覚を強調することができる。
【００１２】
上記解決手法を前提とした好ましい態様は、特許請求の範囲における請求項２以下に記載のとおりである。
【００１３】
マニュアル操作され、前記複数の出力部からの出力の大きさを個々独立して調整するための独立調整手段と、マニュアル操作され、前記独立調整手段によって調整された後の前記複数の出力部からの各出力の大きさの割合を維持しつつ、該複数の出力部からの出力の大きさを同時に調整するための共通調整手段と、を有しているようにすることができる（請求項２対応）。この場合、各複数組の一対の導子による刺激を同程度なものに維持しつつ、刺激の強さを容易に変更することができる。
【００１４】
前記独立調整手段で調整された前記複数の出力部からの各出力の大きさの割合を記憶する記憶手段をさらに備え、前記共通調整手段は、前記記憶手段に記憶されている出力の大きさの割合に基づいて、各出力部からの出力の大きさを調整する、ようにすることができる（請求項３対応）。この場合、複数組の一対の導子の間での出力の大きさの割合が記憶されているので、共通調整手段による出力の大きさ調整を所望の時期に行うことを可能にする等の上で好ましいものとなる。
【００１５】
前記複数の出力部から出力される低周波信号に対して、中周波の搬送波が重合されて出力される、ようにすることができる（請求項４対応）。この場合、中周波の搬送波によって、身体の深部にまで刺激を与えて刺激効果を長時間維持する上で好ましいものとなる。
【００１６】
前記複数の出力部の数が、少なくとも３個以上とされている、ようにすることができる（請求項５応）。この場合、複数の出力部の数、つまり対となる導子の組が少なくとも３組以上となって、各一対の導子によって直接刺激を与える部位の数が多くなり、広い面積範囲に渡ってさすりのマッサ−ジ効果を得る上で好ましいものとなる。
【００１７】
設定された治療時間内において、前記特定モードでの出力状態が繰り返し行われる、ようにすることができる（請求項６対応）。この場合、さすりのマサージ感覚を、設定された治療時間内で繰り返し反復して与えることができる。
【００１８】
【発明の効果】
本発明によれば、刺激される感覚の移動をより十分にさすりの感覚に近いもの、特に新たに刺激を受ける部分への移行感覚を強調させつつ、さすりのマッサージ感覚を患者に与えることができる。
【００１９】
【発明の実施の形態】
図１において、Ｈは多チャンネル式低周波治療器の本体である。この本体Ｈは、実施形態では４チャンネル式とされて、合計４つの出力部１〜４を有する。各出力部１〜４は、それぞれ一対の導子が接続可能とされている。すなわち、第１チャンネルとなる第１出力部１には、配線１Ａ、１Ｂを介して、一対の導子１ａ、１ｂが接続される。同様に、第２チャンネルとなる第２出力部２には、配線２Ａ、２Ｂを介して、一対の導子２ａ、２ｂが接続される。第３チャンネルとなる第３出力部３には、配線３Ａ、３Ｂを介して、一対の導子３ａ、３ｂが接続される。第４チャンネルとなる第４出力部４には、配線４Ａ、４Ｂを介して、一対の導子４ａ、４ｂが接続される。
【００２０】
図１中、Ｔは治療台、Ｋは治療台Ｔ上にうつ伏せとなった患者である。上記導子１ａ、１ｂ〜４ａ、４ｂは、患者Ｋの治療部位としての例えば背中に対して、吸着盤等を利用して装着される。これにより、出力部１〜４からの後述する治療用の低周波信号（低周波の電気信号）を出力することにより、各一対の導子１ａと１ｂとの間、２ａと２ｂとの間、３ａと３ｂとの間、および４ａと４ｂとの間という各部位に刺激が与えられる。
【００２１】
図２は、本発明に用いる制御系統をブロック図的に示すものであり、特に、さすり感覚のマッサージを行うための特定モードに着目したものとなっている（通常の低周波治療のための回路部分については図示を略す部分もある）。この図２において、Ｕはマイクロコンピュータを利用して構成された制御ユニット（コントローラ）である。制御ユニットＵは、ＣＰＵ、ＲＯＭ、ＲＡＭ、システムタイマ等を有する。この制御ユニットＵには、各出力部１〜４からの出力の大きさをマニュアル調整するための独立調整手段としてのスイッチ１１〜１４からの信号が入力される。このスイッチ１１〜１４は、出力を低下させる低下用操作部１１ａ〜１４ａと、出力を増大させる増大用操作部１１ｂ〜１４ｂとを有する。低下用操作部１１ａは、例えば押圧操作されることにより、出力を低下させる指令信号を制御ユニットＵに出力する（１２ａ〜１４ａについても同じ）。また、増大用操作部１１ｂは、例えば押圧操作されることにより、出力を増大させる指令信号を制御ユニットＵに出力する（１２ｂ〜１４ｂについても同じ）。
【００２２】
スイッチ５は、マニュアル操作される決定スイッチであり、例えば押圧操作されることにより、各出力部１〜４からの現在の出力状態を記憶すべき指令、特に各出力部１〜４の間での現在の出力の大きさの割合を記憶すべき指令信号を制御ユニットＵに出力するものである。スイッチ６は、共通調整手段としてのマニュアル操作される共通スイッチであり、各出力部１〜４からの出力の大きさを同時に変更する指令信号を制御ユニットＵに指令する。この共通スイッチ６は、例えばボリューム式とされて、所定の一方向へ回転させることにより出力増大要求となり、他方向へ回転させることにより出力低下要求となる。この共通スイッチ６による各出力部１〜４の出力の変更要求を受けたとき、制御ユニットＵは、前述した決定スイッチ５が操作された時点での記憶されている出力割合を維持した状態で出力の大きさを変更するような制御を行う。なお、共通スイッチ６は、制御ユニットＵによって制御されるモータ７によって、自動的に出力零の状態に復帰可能とされている。
【００２３】
図２中、符号８は、マニュアル操作される治療時間の設定用スイッチであり、所望の治療時間（例えば１５分等）を指令する。制御ユニットＵからは、Ｄ／Ａ回路（デジタルーアナログ変換回路）２１〜２４に対して、治療用低周波電気信号に対応した制御信号が出力される。すなわち、出力部１〜４は、アンプ３１〜３４からの電気信号（治療用低周波電気信号）を外部へ出力するものとなっており、この制御ユニットＵからアンプ３１〜３４への制御信号が、上記Ｄ／Ａ変換回路２１〜３１介して行われるようになっている。また、制御ユニットＵからは、各出力部１〜４からの出力状態を示す信号が、本体Ｈの目視易い場所に設けた表示器９に出力される。表示器９は、各出力部１〜４の出力状態を個々独立して表示するもので、実施形態では、各出力部１〜４から出力されている電圧と電流とが表示されるようになっている。さらに、制御ユニットＵからは、アンプ３５を介して、スピーカ（ブザー）３６に出力されるようになっている。
【００２４】
次に、各出力部１〜４からの出力波について、図３〜図５を参照しつつ説明する。なお、出力部１〜４からの出力（の大きさ）は、実施形態では電圧値としてあるが、電流値することも可能である。まず、各出力部１〜４から出力される電気信号は、図３に示すように、基本的に、方形の所定幅（時間幅）のパルスが低周波でもって出力される低周波電気信号とされる（図３のパルス間隔となる周期が低周波対応となっており、例えば周波数で１ＨＺ〜９９９ＨＺ）。実施形態では、この低周波電気信号に、搬送波としての中周波が重合される（例えば周波数で２ＫＨＺ〜１０ＫＨＺ）。すなわち、低周波信号となる方形のパルス幅内において、中周波数の電気信号が重合され、重合割合となるバーストデューティ比は実施形態では常時一定値（例えば３０％）とされている。これにより、低周波成分を持ちつつ、患者Ｋの体表面から奥深く入った部分への刺激付与に効果的となる。
【００２５】
各出力部１〜４からの出力は、図４に示すように、所定時間一定値が持続される持続出力状態とされるが、持続出力状態とするまでは出力が徐々に大きくなる漸増出力状態とされ、また持続出力状態から徐々に出力が低下される漸減出力状態とされる。この場合、漸増出力状態における出力増大割合（単位時間あたりの出力の増加割合）は、漸減出力状態における出力減少割合（単位時間あたりの出力の減少割合）よりも小さくされている。換言すれば、出力の増加はゆっくりで、出力の低下は急速に行われるようになっている。なお、各出力部１〜４の間での漸増出力状態における出力増大割合は互いにほぼ等しくなるようい設定され、同様に漸減出力状態における出力低下割合も互いにほぼ等しくなるように設定されている。
【００２６】
各出力部１〜４からの出力は、互いに時間をずらして順次行われる。例えば、第１出力部２（導子１ａ、１ｂ）、第２出力部２（導子２ａ、２ｂ）、第３出力部３（導子３ａ、３ｂ）、第４出力部４（導子４ａ、４ｂ）の順に出力される。この出力の順序は、さすりの方向に対応するものであり、例えば図１の場合、上記出力順において、左回り（反時計方向回り）にさすった感覚が与えられる。上記出力順とは逆に、第４出力部４から第３出力部３、第２出力部２、第１出力部１の順に出力したときは、図１において右回り（時計方向回り）にさすった感覚が与えられる。
【００２７】
図５には、好ましい出力例が示される。この図５において、第１出力部１、第２出力部２、第３出力部３、第４出力部というように順次出力して、この順序での出力が繰り返し行われる場合が示される。そして、図５の例では、出力（持続出力状態）の大きさは、第２出力部２がもっとも大きく、第３出力部３がもっとも小さく、第１出力部１と第４出力部４とがその中間の大きさとされている。なお、各出力部１〜４の大きさが相違するのは、出力が同じ大きさであっても患者Ｋが感じる刺激の強さは導子の装着部位によって相違を生じることを勘案してなされたものである。換言すれば、導子が装着されている部位毎に同じ刺激の強さを感じるように、各出力部１〜４の間での出力の大きさの調整が行われているものである。
【００２８】
図５から明らかなように、実施形態では、各出力部１〜４の間での出力遅延時間（ディレイ時間）は、互いにほぼ等しくなるように設定されている（例えば第１出力部１からの出力開始から一定遅延時間ｔだけ遅れて第２出力部２からの出力が開始され、第２出力部２からの出力開始から上記ｔだけ遅れて第３出力部３からの出力が開始される）。
【００２９】
今回出力されている今回出力部（例えば第１出力部１）での出力が行われている間に、次に出力が行われる出力部（例えば第２出力部２）からの出力が開始される。より具体的には、今回出力部での出力状態が前述した持続出力状態の間に、次の出力部からの出力が開始されるようになっている。そして、今回出力部からの出力が中止（出力零）となる時点（漸減出力状態の終期）においては、次回の出力部での出力状態が持続出力状態となるようにされている。このような設定によって、特に、出力されているある一対の導子から次に出力される別の導子へ向けて連続的に刺激が移動するような感覚が強く得られることになる。以上に加えて、複数の出力部１〜４のうち今回出力が行われている今回出力部での出力状態が前記持続出力状態から前記漸減出力状態に移行する付近の過渡期に、次に出力される次回出力部からの出力が前記持続出力状態の開始時期となるようにされている。
【００３０】
なお、今回出力されている出力部からの出力が完全に中止（出力零）になった後に、次の出力部からの出力を開始したのでは、さすりの感覚がが途中でとぎれるような感じとなってしまい、好ましくないものである。また、各出力部１〜４からの出力の状態として持続出力状態のみとすることも考えられるが（漸増出力状態および漸減出力状態共になしとした場合）、この場合は、刺激が連続的に徐々に移動するような感覚が得にくいものとなる。
【００３１】
次に、上述した制御を行う制御ユニットＵの制御内容について、図６、図７のフローチャートを参照しつつ説明する。なお、複数組の導子１ａ、１ｂ〜４ａ、４ｂの患者Ｋへの装着状態は、例えば図１に示すような場合としてあり、図１中左回りにさする感覚を与えるために、出力順序は第１出力部１、第２出力部２、第３出力部３、第４出力部４の順としてある。また、以下の説明でＱはステップを示す。
【００３２】
まず、Ｑ１において、スイッチ８を操作することによって、治療時間が例えば１５分というように設定される。Ｑ２では、各出力部１〜４からの出力が、調整スイッチ１１〜１４を利用して、個々独立して調整される。より具体的には、Ｑ１での治療時間設定が行われた後に、まず第１出力部１からのみ出力が行われて、スイッチ１１（の低下用操作部１１ａ、増大用操作部１１ｂ）を操作することによって、患者Ｋが刺激を感じる最小限の出力となるように調整され、この調整値が一時的に記憶される。次いで、第２出力部２からのみ出力が行われて、スイッチ１２（の操作部１２ａ、１２ｂ）を操作することによって、患者Ｋが感じる最小限の出力となるように調整され、この調整値が一時的に記憶される。この後、第３出力部３からのみ出力が行われて、スイッチ１３（の操作部１３ａ、１３ｂ）を操作することによって、患者Ｋが感じる最小限の出力となるように調整され、この調整値が一時的に記憶される。最後に、第４出力部４からのみ出力が行われて、スイッチ１４（の操作部１４ａ、１４ｂ）を操作することによって、患者Ｋが感じる最小限の出力となるように調整され、この調整値が一時的に記憶される。このようにして、各出力部１〜４に対応した導子１ａ、１ｂ〜４ａ、４ｂの装着部位において刺激を感じる最小限の出力の大きさが、各出力部１〜４について個々独立して設定、記憶されることになる。なお、現在出力されている１つの出力部がどれであるかを、表示器９に表示するようにすることもできる。
【００３３】
Ｑ３では、決定スイッチ５がＯＮ操作されたか否かが判別される。このＱ３の判別でＮＯのときは、Ｑ２に戻る。Ｑ３の判別でＹＥＳのときは、Ｑ４において、上述したように記憶された各出力部１〜４の間での出力割合の大きさが記憶される。この記憶としては、例えばもっとも小さい出力値となった第３出力部３の出力値を１００％としたとき、第１出力部１の出力値が１１０％、第２出力部２の出力値が１４０％、第４出力部４の出力値が１２０％というように記憶される。
【００３４】
Ｑ５では、上述のように記憶されている出力の割合でもって、各出力部１〜４から同時に出力される（実施形態では、Ｑ２で設定、記憶されている出力値をそのまま出力）。この各出力部１〜４から同時に出力が行われている状態では、患者Ｋは、各出力部１〜４に対応した導子１ａと１ｂとの間〜４ａと４ｂの間の全ての装着部位において、ほぼ同じような強さの刺激を感じ状態となっている。この状態で、Ｑ６では、共通スイッチ６を操作することにより、患者Ｋが心地よいと感じる強さとなるように、各出力部１〜４からの出力の大きさが調整される（実施形態では、当初はもっとも弱い刺激を与える出力となっているので、共通スイッチ６によって刺激を強くする方向、つまり出力を大きくする方向の調整となる）。この共通スイッチ６による出力調整のとき、各出力部１〜４からの出力の大きさは、Ｑ４で記憶されている出力の大きさ割合が維持されるように行われる。これにより、患者Ｋは、全ての導子装着部位についてほぼ同じ大きさの刺激を感じることになる。
【００３５】
Ｑ７では、Ｑ３での決定スイッチ５がＯＮされてから所定時間（例えば１５秒）が経過したか否かが判別される。このＱ７の判別でＮＯのときは、Ｑ５へ戻る。Ｑ７の判別でＹＥＳのときは、Ｑ８において、各出力部１〜４からの同時出力が中止されて、所定順序での順次出力が開始される。すなわち、例えば図５に示すようなさすり感覚を得るためのさすりモード（特定モード）での出力態様でもって出力が開始される。
【００３６】
Ｑ９においては、Ｑ８でのさすりモードでの出力開始時点から、Ｑ１で設定された治療時間が経過したか否かが判別される。このＱ９の判別でＮＯのときは、Ｑ８の処理が繰り返されて、さすりモードでの出力態様が継続される。Ｑ９の判別でＹＥＳのときは、Ｑ１０において、治療の終了を示すべくブザー３６が作動される。この後、Ｑ１１において、モータ７によって共通スイッチ６の操作状態が強制的に出力零の状態に駆動、復帰されて、全ての出力部１〜４からの出力が中止される。
【００３７】
Ｑ８のさすりモードでの出力を行っているとき、各出力部１〜４からの出力の大きさを個々独立して調整したり、あるいは全出力部１〜４からの出力の大きさを同時に変更することもできる。この場合は、例えば図７に示すフローチャートが、図６に示すフローチャートに対して所定時間毎に割り込み処理される。なお、図７のフローチャートは、スイッチ１１〜１４あるいは共通スイッチ６のいずれか１つが操作されたときに図６のフローチャートに割り込み処理されるものであってもよい。
【００３８】
図７のフローチャートにおいて、まずＱ２１において、スイッチ１１〜１４のいずれかが操作されたか否かが判別される。このＱ２１の判別でＹＥＳのときは、Ｑ２２において、操作されたスイッチ（例えばスイッチ１１）に対応した出力部（例えば第１出力部１）からの出力が変更される。また、このＱ２２では、一部の出力部からの出力が変更されたことに伴って、各出力部１〜４の間での出力割合が変更、記憶される。
【００３９】
Ｑ２２の後、あるいはＱ２１の判別でＮＯのときは、それぞれＱ２３において、共通スイッチ６が操作されたか否かが判別される。このＱ２３の判別でＹＥＳのときは、Ｑ２４において、記憶されている出力割合を維持しつつ、各出力部１〜４からの出力の大きさが同時に変更される。なお、出力の同時変更は、ソフト的な同時変更であって、実際に出力の変化として具現されるのは、各出力部１〜４の出力タイミング毎である（出力の順次変更）。Ｑ２３の判別でＮＯのときは、そのままリーンされる。
【００４０】
以上実施形態について説明したが、本発明はこれに限らず例えば次のような場合をも含むものである。一対の導子の組数（出力部の数）としては、２組以上であればよいが、３組以上、特に実施形態で示すような４組以上とするのが、さすりの感覚を十分に得る上で好ましいものとなる。複数組の導子は、全体的に直列配置するようにしてもよく、この場合、直線的な刺激の移動（直線的なさすり）を得ることができる。
【００４１】
複数の出力部からの出力順序は、同じ順序で繰り返す場合に限らず、例えば、初回に出力する例えば第１出力部１から出力を開始して、最後に出力する例えば第４出力部４の後は、出力順序を逆にするようにしてもよい。より具体的には、例えば図５の例において、第１出力部１、第２出力部２、第３出力部３、第４出力部４、第３出力部３、第２出力部２、第１出力部１、第２出力部２、第３出力部３・・・・・というようにすることによって、さすり方向が反転するような出力を行わせるようにしてもよい。このように、複数の出力部の出力順序を変更しないで同じ出力順序を繰り返す繰り返しモードと、上述のようにさすり方向が反転するような反転モードとをマニュアル操作によって選択するスイッチを別途設けるようにすることもできる。
【００４２】
全ての出力部からの順次出力が１回終了するまでの１サイクルあたりの時間を変更可能としてもよく、この場合、上記１サイクルあたりの時間を変更指令するためのマニュアル操作されるスイッチを別途設ければよい。この場合、特に持続出力状態の時間の長短が変更されることとなり、これによって、さすりの早さを変更すること、つまりさすりを早く行う感覚や遅く行う感覚を任意に得ることができる。
【００４３】
低周波電気信号としては、中周波の搬送波を重合させないものであってもよい。フロ−チャ−トに示す各ステップ（ステップ群）あるいはスイッチ等の各種部材は、その機能の上位表現に手段の名称を付して表現することができる。また、フロ−チャ−トに示す各ステップ（ステップ群）の機能は、制御ユニット（コントローラ）内に設定された機能部の機能として表現することもできる（機能部の存在）。勿論、本発明の目的は、明記されたものに限らず、実質的に好ましいあるいは利点として表現されたものを提供することをも暗黙的に含むものである。さらに、本発明は、制御方法として表現することも可能である。
【図面の簡単な説明】
【図１】本発明装置を患者に適用した場合の一例を示す簡略上面図。
【図２】本発明の制御系統例を示すブロック図。
【図３】治療用の低周波信号の一例を示す図。
【図４】各出力部からの好ましい出力例を１回あたりの出力に着目して示す図。
【図５】各出力部から順次出力する場合の好ましい出力例を示す図。
【図６】本発明の制御例を示すフローチャート。
【図７】本発明の制御例を示すフローチャート。
【符号の説明】
Ｈ：多チャンネル式低周波治療器の本体
Ｋ：患者
Ｕ：制御ユニット
１〜４：出力部
１ａ、１ｂ〜４ａ、４ｂ：導子
５：決定スイッチ
６：共通調整用スイッチ
７：出力の零復帰用モータ
８：治療時間設定スイッチ
９：出力状態の表示器
１１〜１４：独立調整用スイッチ
【図１】
0004126182.tif 000002
【図２】
0004126182.tif 000003
【図３】
0004126182.tif 000004
【図４】
0004126182.tif 000005
【図５】
0004126182.tif 000006
【図６】
0004126182.tif 000007
【図７】
0004126182.tif 000008